(57)【要約】【課題】  本発明は、誤動作なく自動的にノーマルモードとスタンバイモードを切換えるスイッチング電源装置を提供する。【解決手段】  一次巻線、二次巻線を有するトランス１と、前記一次巻線に直列接続された半導体スイッチ２と、半導体スイッチ２を周期的にオン、オフさせる制御回路３と、前記二次巻線に接続された整流回路４とを備えたスイッチング電源回路において、トランス１に補助巻線を設け、この補助巻線に発生するフライバック電圧を積分回路３０で積分し、積分して得た補助巻線積分電圧を積分電圧検出回路３３で検出し、補助巻線積分電圧が設定電圧以下になった際にノーマルモード動作からスタンバイモード動作に動作モードを切換えるモード切換え手段２０を設けてある事を特徴とするスイッチング電源装置。【選択図】図１
2005278376.tif 000002
【特許請求の範囲】
【請求項１】
一次巻線、二次巻線を有するトランスと、前記一次巻線に直列接続された半導体スイッチと、前記半導体スイッチを周期的にオン・オフさせる制御回路と、前記二次巻線に接続された整流回路とを備えたスイッチング電源回路において、前記トランスに補助巻線を設け、この補助巻線に発生するフライバック電圧を積分回路で積分し、積分して得た補助巻線積分電圧を積分電圧検出回路で検出し、補助巻線積分電圧が設定電圧以下になった際にノーマルモード動作からスタンバイモード動作に動作モードを切換えるモード切換え手段を設けてある事を特徴とするスイッチング電源装置。
【請求項２】
前記モード切換え手段は、補助巻線積分電圧が設定電圧以上になった際にスタンバイモード動作からノーマルモード動作に動作モードを切換える機能を有している事を特徴とする請求項１に記載のスイッチング電源装置。
【請求項３】
一次巻線、二次巻線を有するトランスと、前記一次巻線に直列接続された半導体スイッチと、前記半導体スイッチを周期的にオン・オフさせる制御回路と、前記二次巻線に接続された整流回路とを備えたスイッチング電源回路において、オントリガ信号が入りオンする周期とオントリガ信号が入ってもオンしない周期との比率をカウントする切換えタイマを有し、この切換えタイマのカウント値が設定値以上になった際にノーマルモード動作からスタンバイモード動作に動作モードを切換えるモード切換え手段を設けてある事を特徴とするスイッチング電源装置。
【請求項４】
前記切換えタイマは、オントリガ信号が入力される時にオフ信号も入力されており半導体スイッチがオンしない周期は設定電流値で充電を行い、オントリガ信号が入力されている時にオフ信号が入力されておらず半導体スイッチがオンする周期は設定電流値で放電を行うタイマコンデンサを備えてある事を特徴とする請求項３記載のスイッチング電源装置。
【請求項５】
前記モード切換え手段は、切換えタイマのカウント値が設定値以下になった際にスタンバイモード動作からノーマルモード動作に動作モードを切換える機能を有している事を特徴とする請求項３又は４記載のスイッチング電源装置。
【発明の詳細な説明】
【技術分野】
【０００１】
本発明は、スタンバイモードとノーマルモードの２つの動作モードを有し、動作モードを切換える機能を備えたスイッチング電源装置に関するものである。
【背景技術】
【０００２】
スタンバイモード動作とノーマルモード動作の２つの動作モードをもち、動作モードを切換える機能をもった電源では、部品削減や、スタンバイ信号による電力損失削減の為、自動的にスタンバイモード動作とノーマルモード動作を切換えるタイプのものが主流である（例えば、特許文献１参照）。
【特許文献１】特開２００２−１３６１２５公報
【０００３】
従来の具体例として、図７に示す。図７図示のスイッチング電源装置は、一次巻線及び二次巻線を有するトランス１を備え、このトランス１の一次巻線の一端は、半導体スイッチ２のドレイン端子に接続し、トランス１の一次巻線の他端は、入力整流回路６のプラス端子に接続し、半導体スイッチ２のソース端子は、入力整流回路６のマイナス端子に接続する。又、半導体スイッチ２のドレイン・ソース間に共振コンデンサ３を接続することにより、トランス１が磁気エネルギーを蓄えることができるとともに、トランス１が蓄積した磁気エネルギーを放出した後、電圧共振するようにしてある。また、トランス１の一次巻線には入力整流回路６を接続してあり、電圧共振する際に共振エネルギーが入力整流回路６に戻り、蓄えられるように構成してある。
【０００４】
二次側にはトランス１の二次巻線と整流回路５が接続してある。また、二次側の出力には出力電圧検出回路７を接続し、この出力電圧検出回路７はフォトカプラ９を介してオン幅制御回路５０に接続してある。このオン幅制御回路５０は比較器５１、タイマコンデンサ５２、半導体スイッチ５３、並びにインバータ５４、ツェナーダイオード５５、定電流回路５６を備えてある。
【０００５】
トランス１の一次巻線に接続した半導体スイッチ２のゲート端子はインバータ５４を介して半導体スイッチ５３のゲート端子に接続してある。この半導体スイッチ５３のドレイン端子にツェナーダイオード５５のアノードを接続し、ツェナーダイオード５５のカソードを定電流回路５６に接続してある。ツェナーダイオード５５のカソードと半導体スイッチ５３のソース間にタイマコンデンサ５２を接続し、このタイマコンデンサ５２の一端を比較器５１の非反転入力端子に接続してある。半導体スイッチ２がオフの時は、半導体スイッチ５３はオンし、タイマコンデンサ５２の電圧は、ツェナーダイオード５５の電圧でクランプされる。半導体スイッチ２がオンするとともに半導体スイッチ５３はオフし、タイマコンデンサ５２は定電流回路５６により充電され電圧が上昇する。
【０００６】
この比較器５１の反転入力端子はフォトカプラ９に接続し、フォトカプラ９は、出力電圧検出回路７からのフィードバック信号により、オン、オフ動作し出力電圧のエラー信号を反映したフィードバック制御電圧が比較器５１の反転入力端子に入力されるようにしてある。この比較器５１の出力端子は、ノーマルモード動作とスタンバイモード動作とを切換えるモード切換え回路２０の入力端子に接続してある。比較器５１は、非反転入力端子と反転入力端子の比較結果より、オフトリガ信号を発生する。また、フォトカプラ９はスタンバイ切換えコンパレータ６０の反転入力端子とも接続している。このスタンバイ切換えコンパレータ６０の出力端子はモード切換え回路２０に接続し、スタンバイ切換えコンパレータ６０の反転入力端子に入力されるフィードバック制御電圧がある設定値以下になった時に、スタンバイ信号をモード切換え回路２０に出力する。
【０００７】
モード切換え回路２０は、２つのＡＮＤ回路２１，２２、インバータ２３、及びＯＲ回路２４からなり、オン幅制御回路５０からオフトリガ信号を、スタンバイ切換えコンパレータ６０からスタンバイ信号を、スタンバイ制御回路からスタンバイ制御信号をそれぞれ入力する。スタンバイ切換えコンパレータ６０がＬｏを出力している時は、オン幅制御回路５０からのオフトリガ信号をモード切換え回路２０は出力し、スタンバイ切換えコンパレータ６０がＨｉを出力している時は、スタンバイ制御回路からのスタンバイ制御信号をモード切換え回路２０は出力する。上記動作により、スタンバイモード動作若しくはノーマルモード動作に切換える。
【０００８】
モード切換え回路２０はフリップフロップ回路１１のリセット端子に接続してある。また、このフリップフロップ回路１１のセット端子にはオントリガ回路１３に接続し、フリップフロップ回路１１の反転端子をインバータ１２に接続し、このインバータ１２の出力を半導体スイッチ２のゲート端子に接続してある。
【発明の開示】
【発明が解決しようとする課題】
【０００９】
しかし、従来の電源は、スタンバイモードの方式がバーストモードの場合は、自動的にモードを切換えるとノーマルモードの負荷変動時や入力急変時にもスタンバイモードに一瞬切換わってしまいハンチングの原因となる事がある。又、制御回路内部でモードの切換わり点を固定とすると、バーストして欲しくない負荷でバーストする事があり、他出力電源の場合、特に、直接フィードバック制御を行っていない出力の出力電圧低下の問題が発生する事がある。
【００１０】
また、周波数変調型電源においてトランスを小型化した為、高周波化を行う場合、ノーマルモードでの最小負荷は連続発振動作の限界ギリギリの周波数となる事があり、その場合は、連続発振動作中のどこかの点でスタンバイモードに切換わってしまうと上記問題がおこってしまう事になる。
【００１１】
さらに、従来のスイッチング電源装置は、出力側から入力側にスタンバイ信号を送る際に、フォトカプラが必要である。このフォトカプラは消費電力が大きい為、スイッチング電源そのものの効率が落ちるという課題もある。
【００１２】
本発明は、上記問題に鑑みてなされたものであり、誤動作なく自動的にノーマルモードとスタンバイモード(バーストモード)を切換えるスイッチング電源装置を提供する。
【課題を解決するための手段】
【００１３】
上記課題を解決するために、本発明に係るスイッチング電源装置は、一次巻線、二次巻線を有するトランスと、前記一次巻線に直列接続された半導体スイッチと、前記半導体スイッチを周期的にオン・オフさせる制御回路と、前記二次巻線に接続された整流回路とを備えたスイッチング電源回路において、前記トランスに補助巻線を設け、この補助巻線に発生するフライバック電圧を積分回路で積分し、積分して得た補助巻線積分電圧を積分電圧検出回路で検出し、補助巻線積分電圧が設定電圧以下になった際にノーマルモード動作からスタンバイモード動作に動作モードを切換えるモード切換え手段を設けてある事を特徴とする。
【００１４】
前記モード切換え手段は、補助巻線積分電圧が設定電圧以上になった際にスタンバイモード動作からノーマルモード動作に動作モードを切換える機能を有している事を特徴とする。
【００１５】
また、本発明に係るスイッチング電源装置は、一次巻線、二次巻線を有するトランスと、前記一次巻線に直列接続された半導体スイッチと、前記半導体スイッチを周期的にオン・オフさせる制御回路と、前記二次巻線に接続された整流回路とを備えたスイッチング電源回路において、オントリガ信号が入りオンする周期とオントリガ信号が入ってもオンしない周期との比率をカウントする切換えタイマを有し、この切換えタイマのカウント値が設定値以上になった際にノーマルモード動作からスタンバイモード動作に動作モードを切換えるモード切換え手段を設けてある事を特徴とする。
【００１６】
前記切換えタイマは、オントリガ信号が入力される時にオフ信号も入力されており半導体スイッチがオンしない周期は設定電流値で充電を行い、オントリガ信号が入力されている時にオフ信号が入力されておらず半導体スイッチがオンする周期は設定電流値で放電を行うタイマコンデンサを備えてある事を特徴とする。
【００１７】
前記モード切換え手段は、切換えタイマのカウント値が設定値以下になった際にスタンバイモード動作からノーマルモード動作に動作モードを切換える機能を有している事を特徴とする。
【発明の効果】
【００１８】
本発明によれば、ノーマルモード動作においてオン幅の絞込み限界で自然間欠動作になり、その間欠動作の発振期間のDutyがある値以下になった時に制御回路のもつスタンバイモード（バーストモード）に切換える方法を採用する事により、自動的にバーストモードに切換わる事による問題の発生を極力避ける事ができる効果がある。又、自然間欠動作の検出に積分回路やタイマを使用する為、負荷急変や入力急変等の短時間であればスタンバイモードへ切換わる事はなく安定動作が得られる効果がある。また、本発明はフォトカプラが不要である為、無駄な消費電力を低減することができ、効率を上げることができる効果もある。
【発明を実施するための最良の形態】
【００１９】
発明を実施するための最良の形態の回路図を図１に示す。図１図示のスイッチング電源装置は、一次巻線及び二次巻線を有するトランス１を備え、このトランス１の一次巻線と直列に半導体スイッチ２を接続し、半導体スイッチ２のドレイン・ソース間に共振コンデンサ３を接続し、共振コンデンサ３とトランス１の一次巻線とが直列に接続することにより、トランス１が磁気エネルギーを蓄えることができるとともに、電圧共振するようにしてある。また、トランス１の一次巻線には入力整流回路６を接続してあり、電圧共振する際にエネルギーが蓄えられるように構成してある。
【００２０】
二次側にはトランス１の二次巻線と整流回路５が接続してある。また、二次側の出力には出力電圧検出回路７を接続してある。この出力電圧検出回路７はオン幅制御回路３５及びスタンバイ制御回路３６に接続し、二次側に設けた負荷８に加わる出力直流電圧と予め設定しておいた基準電圧の比較結果である誤差電圧信号を一次側オン幅制御回路３５とスタンバイ制御回路３６に帰還し、ノーマルモード時のオン幅制御、スタンバイモード時のオン幅（又は、ドレイン電流）と間欠の発振、停止制御を行うように構成してある。
【００２１】
トランス１に補助巻線を設け、この補助巻線にコンデンサ３１と抵抗３２とを並列に接続して構成した積分回路３０を接続し、補助巻線に発生するフライバック電圧を積分回路３０で積分するように構成してある。積分回路３０で積分して得た補助巻線積分電圧を比較器で構成した積分電圧検出回路３３で検出し、積分電圧検出回路３３より設定電圧以下になった際にスタンバイ信号を出力するように構成してある。
【００２２】
制御回路４は補助巻線積分電圧が設定電圧以下になった際にノーマルモード動作からスタンバイモード動作に動作モードを切換え、補助巻線積分電圧が設定電圧以上になった際にスタンバイモード動作からノーマルモード動作に動作モードを切換えるモード切換え回路２０を設けてある。このモード切換え回路２０は、ＯＲ回路２１、二つのＡＮＤ回路２２，２３、及びインバータ２４を有する。
【００２３】
積分電圧検出回路３３の出力は一方のＡＮＤ回路２２に接続してある。この一方のＡＮＤ回路２２には出力電圧検出信号を受けるスタンバイ制御回路３６も接続してある。積分電圧検出回路３３の出力はインバータ２４にも接続し、インバータ２４の出力は他方のＡＮＤ回路２３に接続してある。この他方のＡＮＤ回路２３には、出力電圧検出信号を受けるオン幅制御回路３５に接続してある。これらの二つのＡＮＤ回路２２、２３の出力は、ＯＲ回路２１に接続してある。
【００２４】
モード切換え回路２０は、積分電圧検出回路３３がＨｉを出力している時は、スタンバイ制御回路３６のスタンバイ制御信号を出力し、積分電圧検出回路３３がＬｏを出力している時は、オン幅制御回路３５のオン幅制御信号を出力する。これにより、ノーマルモードとスタンバイモードの切換えを行う。
【００２５】
モード切換え回路２０の出力はフリップフロップ回路のリセット端子に接続し、このフリップフロップ回路１１のセット端子にオントリガ回路１３を接続してある。このフリップフロップ回路１１の反転端子をインバータ１２に接続し、このインバータ１２の出力を半導体スイッチ２のゲート端子に接続してある。
【００２６】
以上のように構成してあるスイッチング電源装置は以下のように作用する。なお、ノーマルモードからスタンバイモードへ移行する際のシーケンス図を図２に示し、スタンバイモードからノーマルモードへ移行する際のシーケンス図を図３に示す。半導体スイッチ２はフリップフロップ回路１１から出力された信号をインバータ１２を介してゲート端子で受けた信号よりオン・オフする。本実施例では、フリップフロップ回路１１のセット端子にオントリガ回路１３が接続し、リセット端子にモード切換え回路２０が接続することから、オントリガ回路１３からオントリガ信号（１−ａ）を受けると、インバータ１２はゲートドライブ信号（１−ｃ）として、Ｈｉを出力し、モード切換え回路２０からオフ制御信号（１−ｂ）を受けると、インバータはゲートドライブ信号（１−ｃ）として、Ｌｏを出力する。オントリガ信号とオフ制御信号が同時に入力される場合は、オフトリガ信号が優先されるようにフリップフロップ回路１１は設定されている。
【００２７】
半導体スイッチ２がオンすると、その間にトランス１に磁気エネルギーが蓄積される。次に半導体スイッチ２がオフすると、トランス１の二次巻線を介して放出される電気エネルギーが整流回路５により整流平滑されて負荷８に出力電圧が供給される。トランス１の二次巻線に電気エネルギーを供給するとともに、補助巻線にも電気エネルギーを供給する。補助巻線に発生するフライバック電圧（１−ｄ）を積分回路３０で積分し、積分回路３０で積分して得た補助巻線積分電圧（１−ｅ）を積分電圧検出回路３３で検出し、積分電圧検出回路３３より設定電圧以下になった際にスタンバイ信号（１−ｆ）を出力する。スタンバイ信号（１−ｆ）が出力されると、モード切換え回路２０からは、スタンバイ制御回路３６からのスタンバイ制御信号が出力され、スタンバイモードの制御に切換える。
【００２８】
モード切換え回路２０の出力は、フリップフロップ回路１１のリセット端子にオフ制御信号が入力され、この信号はフリップフロップ回路１１で反転し、インバータ１２を介することにより、半導体スイッチ２に入力され、半導体スイッチ２はオフする。
【００２９】
一方、積分回路３０で積分して得た補助巻線積分電圧（１−ｅ）を積分電圧検出回路３３で検出し、積分電圧検出回路３３より設定電圧以上になった際にインバータ２４を介して一方のＡＮＤ回路２３へノーマルモード信号を出力する。また、ＡＮＤ回路２３の他方の入力には、オン幅制御回路３５の出力信号が入力され、ノーマルモード信号が入力されている時は、モード切換え回路２０からは、オン幅制御回路３５のオン幅制御信号が出力される。これによりスタンバイモードからノーマルモードに切換える。
【００３０】
モード切換え回路２０からオフ制御信号が出力（１−ｂ）されると、フリップフロップ回路１１のリセット端子にオフ制御信号が入力され、この信号はフリップフロップ回路１１で反転し、インバータ１２を介することにより、半導体スイッチ２に入力され、半導体スイッチ２はオフする。
【００３１】
以上より、ノーマルモード動作においてオン幅の絞込み限界で自然間欠動作になり、その間欠動作の発振期間のDutyがある値以下になった時に制御回路４のもつスタンバイモード（バーストモード）に切換えることにより、自動的にバーストモードに切換える事による問題の発生を極力避ける事ができる。又、自然間欠動作の検出に積分回路３０を使用する為、負荷急変や入力急変等の短時間であればスタンバイモードへ切換わる事はなく安定動作が得られる。なお、本発明において制御回路４を集積回路に組み込むことは可能である。以下の実施例においても同様である。
【実施例１】
【００３２】
実施例１を図４に示す。図４図示のスイッチング電源装置は、一次巻線及び二次巻線を有するトランス１を備え、このトランス１の一次巻線と直列に半導体スイッチ２を接続し、半導体スイッチ２のドレイン・ソース間に共振コンデンサ３を接続し、共振コンデンサ３とトランス１の一次巻線とが直列に接続することにより、トランス１が磁気エネルギーを蓄えることができるとともに、電圧共振するようにしてある。また、トランス１の一次巻線には整流ブリッジ６を接続してあり、電圧共振する際にエネルギーが蓄えられるように構成してある。
【００３３】
二次側にはトランス１の二次巻線と整流回路５が接続してある。また、二次側の出力には出力電圧検出回路７を接続し、この出力電圧検出回路７はオン幅制御回路３５及びスタンバイ制御回路３６に接続し、二次側に設けた負荷８に加わる出力直流電圧と予め設定しておいた基準電圧の比較結果である誤差電圧信号を一次側オン幅制御回路３５とスタンバイ制御回路３６に帰還し、ノーマルモード時のオン幅制御、スタンバイモード時のオン幅（又は、ドレイン電流）と間欠の発振、停止制御を行うように構成してある。
【００３４】
制御回路４は切換えタイマ回路４０がＨｉを出力すると、ノーマルモード動作からスタンバイモード動作に動作モードを切換え、切換えタイマ回路４０がＬｏを出力すると、スタンバイモード動作からノーマルモード動作に動作モードを切換えるモード切換え回路２０を設けてある。このモード切換え回路２０は、ＯＲ回路２１、二つのＡＮＤ回路２２，２３、及びインバータ２４を有する。
【００３５】
一方のＡＮＤ回路２２の一方の入力端子には後述する切換えタイマ回路４０の出力に接続し、他方の入力端子には、出力電圧検出信号を受けるスタンバイ制御回路３６を接続してある。切換えタイマ回路４０の出力は、インバータ２４にも接続し、インバータ２４の出力は、他方のＡＮＤ回路２３の入力に接続してある。このＡＮＤ回路２３の他方の入力には、出力電圧検出信号を受けるオン幅制御回路３５が接続してある。これらの二つのＡＮＤ回路２２、２３の出力は、ＯＲ回路２１に接続してある。
【００３６】
モード切換え回路２０は、切換えタイマ回路がＨｉを出力している時は、スタンバイ制御回路３６のスタンバイ制御信号を出力し、切換えタイマ回路がＬｏを出力している時は、オン幅制御回路３５のオン幅制御信号を出力する。これにより、ノーマルモードとスタンバイモードの切換えを行う。
【００３７】
モード切換え回路２０の出力は、フリップフロップ回路１１のリセット端子に接続し、このフリップフロップ回路１１のセット端子にオントリガ回路１３を接続してある。このフリップフロップ回路１１の反転端子をインバータ１２に接続し、このインバータ１２の出力を半導体スイッチ２のゲート端子に接続してある。
【００３８】
続いて、本実施例の特徴である切換えタイマ回路４０について説明する。この切換えタイマ回路４０は、オントリガ信号が入りオンする周期とオントリガ信号が入ってもオンしない周期との比率をカウントするように構成してあり、充電スイッチ４１と、放電スイッチ４２と、タイマコンデンサ４３と、比較器４４と、基準電源４５と、フリップフロップ回路４６と、二つのＡＮＤ回路４７，４８と、インバータ４９、定電流回路３８，３９とを有する。
【００３９】
一方のＡＮＤ回路４７の入力はオントリガ回路１３の出力とモード切換え回路２０の出力とに接続し、このＡＮＤ回路４７の出力はフリップフロップ回路４６のセット端子に接続してある。また、他方のＡＮＤ回路４８の入力はオントリガ回路１３の出力と、インバータ４９を介したモード切換え回路２０の出力とに接続し、このＡＮＤ回路４８の出力はフリップフロップ回路４６のリセット端子に接続してある。
【００４０】
フリップフロップ回路４６の反転端子に充電スイッチ４１及び放電スイッチ４２のゲート端子に接続し、充電スイッチ４１のドレイン端子は、定電流回路３８，３９を介して放電スイッチ４２のドレイン端子に接続し、定電流回路３８と定電流回路３９との接続部は、タイマコンデンサ４３の一端、並びに比較器４４の非反転入力端子に接続してある。また、放電スイッチ４２のソース端子は、タイマコンデンサ４３の他端、並びに基準電源４５のマイナス端子に接続し、この基準電源４５のプラス端子は比較器４４の反転入力端子に接続してある。
【００４１】
比較器４４の出力はモード切換え回路２０の一方のＡＮＤ回路２２の入力及び、インバータ２４を介して他方のＡＮＤ回路２３の入力に接続し、オントリガ信号が入力される時にオフ信号も入力されており、半導体スイッチ２がオンしない周期は設定電流値でタイマコンデンサ４３の充電を行い、オントリガ信号が入力されている時にオフ信号が入力されておらず半導体スイッチ２がオンする周期は設定電流値でタイマコンデンサ４３の放電を行い、比較器４４で検出した電圧が設定電圧以上になった際には、ノーマルモード動作からスタンバイモード動作に、設定電圧以下になった際には、スタンバイモード動作からノーマルモード動作に動作モードを切換えるように構成してある。
【００４２】
以上のように構成してあるスイッチング電源装置は以下のように作用する。ノーマルモードからスタンバイモードへ移行する際のシーケンス図を図５に示し、スタンバイモードからノーマルモードへ移行する際のシーケンス図を図６に示す。半導体スイッチ２がオンすると、その間にトランス１に磁気エネルギーが蓄積される。次に半導体スイッチ２がオフすると、トランス１の二次巻線を介して放出される電気エネルギーが整流回路５により整流平滑されて負荷８に出力電圧が供給される。
【００４３】
本実施例では、オントリガ回路１３より出力されるオントリガ信号（２−ａ）のタイミングでモード切換え回路２０の出力がＨｉかＬｏかで切換えタイマ回路４０のカウントをおこなう事により、動作モードを切り換える。オントリガ回路１３よりオントリガ信号（２−ａ）が、切換えタイマ回路４０の２つのＡＮＤ回路４７，４８に出力される。そのタイミングでモード切換え回路２０の出力がＨＩの時、一方のＡＮＤ回路４７回路はオンして信号（２−ｃ）を出力し、他方のＡＮＤ回路４８はオフ（２−ｄ）する。この信号がフリップフロップ回路４６のセット端子に入力されると、フリップフロップ回路４６の反転端子に出力されるタイマオン・オフ信号（２−ｅ）はＬｏとなる。タイマオン・オフ信号（２−ｅ）がＬｏになると、充電スイッチ素子４１がオンする。充電スイッチ素子４１がオンすることにより、タイマコンデンサ４３が充電を開始し、タイマコンデンサの電圧（２−ｆ）は上がる。
【００４４】
また、オントリガ回路１３よりオントリガ信号（２−ａ）が出力されるタイミングで、モード切換え回路２０の出力がＬｏの場合は、一方のＡＮＤ回路４７はオフし（２−ｃ）、他方のＡＮＤ回路４８はオンして信号（２−ｄ）を出力する。この信号（２−ｄ）がフリップフロップ回路４６のリセット端子に入力されると、フリップフロップ回路４６の反転端子のタイマオン・オフ信号（２−ｅ）がＨｉとなる。このタイマオン・オフ信号（２−ｅ）がＨｉになると、放電スイッチ素子４２がオンする。放電スイッチ素子４２がオンすることにより、タイマコンデンサ４３が放電を開始し、タイマコンデンサの電圧（２−ｆ）は下がる。 
【００４５】
この動作を繰り返しながら、タイマコンデンサ４３の電圧（２−ｆ）と基準電源４５の基準電圧とを比較器４４で比較し、タイマコンデンサ４３の電圧が基準電圧を超えると、言いかえると、切換えタイマ回路４０の電圧検出回路で検出した電圧が設定電圧以上になった際に、ノーマルモード動作からスタンバイモード動作に動作モードを切換えるスタンバイ信号（２−ｇ）をモード切換え回路２０に出力する。モード切換え回路２０は、切換えタイマ回路４０がＨｉを出力している時は、スタンバイ制御回路３６の、スタンバイ制御信号を出力する。これにより、ノーマルモードからスタンバイモードへの切換えを行う。
【００４６】
モード切換え回路２０からオフ制御信号（２−ｂ）が出力されると、フリップフロップ回路１１のリセット端子にオフ制御信号（２−ｂ）が入力され、この信号（２−ｂ）はフリップフロップ回路１１で反転し、インバータ１２を介することにより、半導体スイッチ２に入力され、半導体スイッチ２はオフする。
【００４７】
一方、切換えタイマ回路４０の比較器４４で検出した電圧が設定電圧以下になった際にインバータ２４を介して一方のＡＮＤ回路２３へノーマルモード信号を出力する。具体的には、切換えタイマ回路４０の電圧検出回路で検出した電圧が設定電圧以下になった際に、スタンバイ信号（２−ｇ）がＬｏとなる。切換えタイマ回路４０がＬｏを出力している時は、オン幅制御回路３５の、オン幅制御信号を出力する。これにより、スタンバイモードからノーマルモードへの切換えを行う。
【００４８】
以上より、ノーマルモード動作においてオン幅の絞込み限界で自然間欠動作になり、その間欠動作の発振期間のDutyがある値以下になった時に制御回路４のもつスタンバイモード（バーストモード）に切換えることにより、自動的にバーストモードに切換える事による問題の発生を極力避ける事ができる。又、自然間欠動作の検出に切換えタイマ回路４０を使用する為、負荷急変や入力急変等の短時間であればスタンバイモードへ切換わる事はなく安定動作が得られる。
【産業上の利用可能性】
【００４９】
本発明によれば、ノーマルモード動作においてオン幅の絞込み限界で自然間欠動作になり、その間欠動作の発振期間のDutyがある値以下になった時に制御回路のもつスタンバイモード（バーストモード）に切換える方法を採用する事により、自動的にバーストモードに切換える事による問題の発生を極力避ける事ができる。又、自然間欠動作の検出に積分回路やタイマを使用する為、負荷急変や入力急変等の短時間であればスタンバイモードへ切換わる事はなく安定動作が得られる効果がある。また、本発明はフォトカプラが不要である為、無駄な消費電力を縮小することができ、効率を上げることができる効果もある。
【図面の簡単な説明】
【００５０】
【図１】本発明に係るスイッチング電源装置における発明を実施するための最良の形態の回路図である。
【図２】図１図示実施例におけるスタンバイモードからノーマルモードへ移行する際のシーケンス図である。
【図３】図１図示実施例におけるノーマルモードからスタンバイモードへ移行する際のシーケンス図である。
【図４】本発明スイッチング電源装置の実施例１の回路図である。
【図５】図４図示実施例におけるスタンバイモードからノーマルモードへ移行する際のシーケンス図である。
【図６】図４図示実施例におけるノーマルモードからスタンバイモードへ移行する際のシーケンス図である。
【図７】従来のスイッチング電源装置の回路図ある。
【符号の説明】
【００５１】
１  トランス
２  半導体スイッチ
３  共振コンデンサ
４  制御回路
５  整流回路
６  入力整流回路
７  出力電圧検出回路
８  負荷
９  フォトカプラ
１１  フリップフロップ回路
１２  インバータ
１３  オントリガ回路
２０  モード切換え回路
２１  ＯＲ回路
２２，２３  ＡＮＤ回路
２４  インバータ
３０  積分回路
３１  コンデンサ
３２  抵抗
３３  積分電圧検出回路
３５  オン幅制御回路
３６  スタンバイ制御回路
３８，３９  定電流回路
４０  切換えタイマ回路
４１  充電スイッチ
４２  放電スイッチ
４３  タイマコンデンサ
４４  比較器
４５  基準電源
４６  フリップフロップ回路
４７，４８  ＡＮＤ回路
４９  インバータ
５０  オン幅制御回路
５１  比較器
５２  タイマコンデンサ
５３  半導体スイッチ
５４  インバータ
５５  ツェナーダイオード
５６  定電流回路
６０  スタンバイ切換えコンパレータ
【図１】
2005278376.tif 000003
【図２】
2005278376.tif 000004
【図３】
2005278376.tif 000005
【図４】
2005278376.tif 000006
【図５】
2005278376.tif 000007
【図６】
2005278376.tif 000008
【図７】
2005278376.tif 000009